【手続補正書】
【提出日】平成17年10月21日(2005.10.21)
【手続補正１】
【補正対象書類名】明細書
【補正対象項目名】特許請求の範囲
【補正方法】変更
【補正の内容】
【特許請求の範囲】
【請求項１】
サセプタの第一及び第二領域の各温度を第一及び第二最終温度までそれぞれ制御可能に増加させるための加熱装置であって、
サセプタと、
前記サセプタの第一及び第二領域に熱を供給するように前記サセプタの第一及び第二領域にそれぞれ接続される第一及び第二加熱エレメントと、
第一設定温度の値及び第二設定温度の値を格納する記憶装置と、
前記記憶装置に格納された前記第一及び第二設定温度の値を設定し、前記第一加熱エレメントの温度が前記第一設定温度以下であるかどうかに応じて前記第一加熱エレメントに電力を授受し、及び、前記第二加熱エレメントの温度が前記第二設定温度以下であるかどうかに応じて前記第二加熱エレメントに電力を授受する制御装置と、
を備え、
前記制御装置は、前記第一設定温度が前記第一最終温度になるまで、前記第一設定温度の前記格納された値を定期的に増加させ、
前記制御装置が前記第一設定温度を増加させる度に、前記制御装置は、前記第二設定温度が前記第二最終温度になるまで、前記第一設定温度の現在値と所定の温度オフセット値との和に前記第二設定温度を設定する、加熱装置。
【請求項２】
前記制御装置が前記第一設定温度を増加させる度に、前記制御装置は、前記第一加熱エレメントの現在温度と所定の加熱速度の値との和に前記第一設定温度を設定する、請求項１に記載の加熱装置。
【請求項３】
前記第一加熱エレメントの温度と第二加熱エレメントの温度との間の温度差が所定の値を初期段階で超えている場合、前記制御装置は、前記温度差が前記所定の値より小さくなるまで、前記加熱エレメントのうち温度のより高い方の稼働を停止する、請求項１に記載の加熱装置。
【請求項４】
前記サセプタの第一領域及び第二領域はそれぞれ内側領域及び外側領域である、請求項１に記載の加熱装置。
【請求項５】
サセプタの第一及び第二領域の各温度を第一及び第二最終温度までそれぞれ制御可能に増加させるための加熱装置であって、
サセプタと、
前記サセプタの第一及び第二領域に熱を供給するように前記サセプタの第一及び第二領域にそれぞれ接続されている第一及び第二加熱エレメントと、
第一設定温度の値及び第二設定温度の値を格納する記憶装置と、
前記記憶装置に格納された前記第一及び第二設定温度の値を設定し、前記第一加熱エレメントの温度が前記第一設定温度以下であるかどうかに応じて前記第一加熱エレメントに電力を授受し、及び、前記第二加熱エレメントの温度が前記第二設定温度以下であるかどうかに応じて前記第二加熱エレメントに電力を授受する制御装置と、
を備え、
前記制御装置は、前記第一加熱エレメントの現在温度と所定の加熱速度の値との和に前記第一設定温度を定期的に設定することによって、前記第一設定温度が前記第一最終温度になるまで前記サセプタの前記第一領域の温度を増加させる、加熱装置。
【請求項６】
前記制御装置は、前記第二設定温度が前記第二最終温度になるまで、前記第一設定温度の現在値と所定の温度オフセット値との和に前記第二設定温度を定期的に設定する、請求項５に記載の加熱装置。
【請求項７】
前記サセプタの前記第一領域及び前記第二領域はそれぞれ内側領域及び外側領域である、請求項５に記載の加熱装置。
【請求項８】
サセプタの第一及び第二領域の各温度を制御可能に増加させるための加熱装置であって、
サセプタと、
前記サセプタの第一及び第二領域に熱を供給するように前記サセプタの第一及び第二領域にそれぞれ接続されている第一及び第二加熱エレメントと、
前記第一及び第二加熱エレメントを稼働させたり稼働を停止させる制御装置と、
を備え、
前記第一加熱エレメントの温度と前記第二加熱エレメントの温度との間の温度差が所定の温度オフセット値を初期段階で超えている場合、前記制御装置は、前記第一加熱エレメントの温度と前記第二加熱エレメントの温度との間の温度差が前記温度オフセット値に下がるまで、前記加熱エレメントのうち温度のより低い方の加熱エレメントを稼働させ且つ他方の加熱エレメントの稼働を停止させ、
前記第一加熱エレメントの温度と前記第二加熱エレメントの温度との間の温度差が前記所定の温度オフセット値以下に下がった後、前記制御装置は、前記第一及び第二加熱エレメントの両方を稼働させる、加熱装置。
【請求項９】
前記制御装置が前記第一及び第二加熱エレメントの両方を稼働させた後、前記制御装置は、前記第一及び第二加熱エレメントを、前記所定の目標加熱速度を超えない各加熱速度で加熱させ、
前記制御装置が前記第一及び第二加熱エレメントのうちの一方だけを稼働させている期間に亘り、前記制御装置は、その一方の加熱エレメントを、前記所定の目標加熱速度より大きい加熱速度で加熱させる、請求項８に記載の加熱装置。
【請求項１０】
サセプタを最終温度まで制御可能に加熱するための加熱装置であって、
サセプタと、
前記サセプタに熱を供給するように前記サセプタに接続される加熱エレメントと、
設定温度の値を格納する記憶装置と、
前記記憶装置に格納された前記設定温度の値を設定すると共に、前記加熱エレメントの温度が前記設定温度以下であるかどうかに応じて前記加熱エレメントに電力を授受する制御装置と、
を備え、
前記制御装置は、前記加熱エレメントの現在温度と前記所定の加熱速度の値との和に前記設定温度を定期的に設定することによって、前記設定温度が前記最終温度になるまで前記サセプタの温度を増加させる、加熱装置。
【請求項１１】
サセプタの第一及び第二領域の各温度を第一及び第二最終温度まで制御可能に増加させる方法であって、
前記第一及び第二領域に熱を供給するように第一及び第二加熱エレメントを前記第一及び第二領域にそれぞれ接続するステップと、
第一設定温度及び第二設定温度を格納するステップと、
前記第一加熱エレメントの温度が前記第一設定温度以下であるかどうかに応じて前記第一加熱エレメントに電力を授受するステップと、
前記第二加熱エレメントの温度が前記第二設定温度以下であるかどうかに応じて前記第二加熱エレメントに電力を授受するステップと、
前記第一設定温度の前記格納された値が前記第一最終温度になるまで、前記第一設定温度を定期的に増加させるステップと、
前記第二設定温度の前記格納された値が前記第二最終温度になるまで、前記第一設定温度の現在値と所定の温度オフセット値との和に前記第二設定温度を定期的に設定するステップと、
を含む方法。
【請求項１２】
前記第一設定温度の前記格納された値を定期的に増加させる前記ステップは、
前記第一加熱エレメントの現在温度と所定の加熱速度の値との和に前記第一設定温度を定期的に設定するステップを含む、請求項１１に記載の方法。
【請求項１３】
前記第一加熱エレメントの温度と前記第二加熱エレメントの温度との間の温度差が所定の値を初期段階で超えている場合、前記温度差が前記所定の値より小さくなるまで、前記第一及び第二加熱エレメントのうち温度のより高い方の加熱エレメントの稼働を停止するステップを更に含む、請求項１１に記載の方法。
【請求項１４】
前記サセプタの前記第一領域及び前記第二領域はそれぞれ内側領域及び外側領域である、請求項１１に記載の方法。
【請求項１５】
サセプタの第一及び第二領域の各温度を第一及び第二最終温度まで制御可能に増加させる方法であって、
前記第一及び第二領域に熱を供給するように前記第一及び第二加熱エレメントを前記第一及び第二領域にそれぞれ接続するステップと、
前記第一及び第二設定温度を格納するステップと、
前記第一加熱エレメントの温度が前記第一設定温度以下であるかどうかに応じて前記第一加熱エレメントに電力を授受するステップと、
前記第二加熱エレメントの温度が前記第二設定温度以下であるかどうかに応じて前記第二加熱エレメントに電力を授受するステップと、
前記第一設定温度が前記第一最終温度になるまで、前記第一加熱エレメントの現在温度と所定の加熱速度の値との和に前記第一設定温度を定期的に設定するステップと、
を含む方法。
【請求項１６】
前記第二設定温度が前記第二最終温度になるまで、前記第一設定温度の現在値と所定の温度オフセット値との和に前記第二設定温度を定期的に設定するステップを更に含む、請求項１５に記載の方法。
【請求項１７】
前記サセプタの前記第一領域及び前記第二領域はそれぞれ内側領域及び外側領域である、請求項１５に記載の方法。
【請求項１８】
サセプタの第一及び第二領域の各温度を制御可能に増加させる方法であって、
前記第一及び第二領域に熱を供給するように第一及び第二加熱エレメントをそれぞれ前記第一及び第二領域に接続するステップと、
前記第一加熱エレメントの温度と前記第二加熱エレメントの温度との間の温度差が所定の温度オフセット値を初期段階で超えている場合、前記第一加熱エレメントの温度と前記第二加熱エレメントの温度との間の前記温度差が前記温度オフセット値に下がるまで、前記第一及び第二加熱エレメントのうち温度のより低い方の加熱エレメントを稼働させ且つ他方の加熱エレメントの稼働を停止させるステップと、
前記第一加熱エレメントの温度と前記第二加熱エレメントの温度との間の温度差が前記温度オフセット値以下になった後に、前記第一及び第二加熱エレメントの両方を稼働させるステップと、
を含む方法。
【請求項１９】
前記第一及び第二加熱エレメントの両方を稼働させるステップは、
前記第一及び第二加熱エレメントを制御して、所定の目標加熱速度を越えない加熱速度でそれぞれ加熱させるステップを更に含み、
前記第一及び第二加熱エレメントのうち温度のより低い方の加熱エレメントを稼働させるステップは、
その稼働させる加熱エレメントを制御して、前記所定の目標加熱速度より大きい加熱速度で加熱させるステップを更に含む、請求項１８に記載の方法。
【請求項２０】
サセプタの温度を最終温度まで制御可能に増加させる方法であって、
前記サセプタに熱を供給するように加熱エレメントを前記サセプタに接続するステップと、
設定温度の値を格納するステップと、
前記加熱エレメントの温度が前記設定温度以下であるかどうかに応じて前記加熱エレメントに電力を授受するステップと、
前記設定温度が前記最終温度になるまで、前記加熱エレメントの現在温度と所定の加熱速度の値との和に前記設定温度を定期的に設定するステップと、
を含む方法。